(57)【特許請求の範囲】
【請求項１】
無線通信により情報が書き込まれるタグを搬送する搬送手段と、
記憶手段から、前記タグに対して情報の書き込みを行う所定の書込位置を読み出すとともに、前記所定の書込位置に搬送された前記タグに対して、無線通信により情報の書き込みを行って発行する書込手段と、
複数の前記タグに対する情報の書き込みを指示するコマンドを受信して前記搬送手段により前記所定の書込位置に順次搬送される前記タグに対する情報の書き込みが行われている間、前記書込手段により書き込みが行われた前記タグが発行される毎に、前記タグに対する情報の書き込みを行う書込位置が入力されたか否かを判断する判断手段と、
前記判断手段により前記書込位置が入力されたと判断した場合、入力された前記書込位置よって、前記記憶手段に記憶された前記所定の書込位置を補正する補正手段と、を備え、
前記書込手段は、前記タグを発行する度に、前記記憶手段から前記所定の書込位置を読み出す書込装置。
【請求項２】
前記書込手段による前記タグに対する情報の書き込みの失敗を検知する検知手段と、
前記書込手段による前記タグに対する情報の書き込みの失敗を検知した場合、前記タグに対する情報の書き込みが失敗したことを報知する報知手段と、
を備えた請求項１に記載の書込装置。
【請求項３】
前記報知手段は、前記書込手段による前記タグに対する情報の書き込みの失敗を検知した場合、前記タグに印字することにより、前記タグに対する情報の書き込みが失敗したことを報知する請求項２に記載の書込装置。
【請求項４】
前記補正手段は、前記所定の書込位置を基準にして、前記タグの搬送方向または当該搬送方向と反対の方向に移動させた前記書込位置によって前記所定の書込位置を補正する請求項１から３のいずれか一に記載の書込装置。
【請求項５】
無線通信により情報が書き込まれるタグを搬送する搬送手段と、記憶手段から、前記タグに対して情報の書き込みを行う所定の書込位置を読み出すとともに、前記所定の書込位置に搬送された前記タグに対して、無線通信により情報の書き込みを行って発行する書込手段と、を備えた書込装置を制御するコンピュータを、
複数の前記タグに対する情報の書き込みを指示するコマンドを受信して前記搬送手段により前記所定の書込位置に順次搬送される前記タグに対する情報の書き込みが行われている間、前記書込手段により書き込みが行われた前記タグが発行される度に、前記タグに対する情報の書き込みを行う書込位置が入力されたか否かを判断する判断手段と、
前記判断手段により前記書込位置が入力されたと判断した場合、入力された前記書込位置よって、前記記憶手段に記憶された前記所定の書込位置を補正する補正手段と、として機能させ、
前記書込手段は、前記タグを発行する度に、前記記憶手段から前記所定の書込位置を読み出すプログラム。
【発明の詳細な説明】
【技術分野】
【０００１】
本発明の実施形態は、書込装置およびプログラムに関する。
【背景技術】
【０００２】
従来、搬送中のＲＦＩＤ（Radio  Frequency  Identification）タグに対して情報を書き込むＲＦＩＤリーダライタを備えたバーコードプリンタにおいて、ＲＦＩＤタグに対して情報を書き込む書込位置を設定する場合、ＲＦＩＤリーダライタによりＲＦＩＤタグに対する情報の書き込みが行われていないオフラインモード（システムモード）において設定していた。
【発明の概要】
【発明が解決しようとする課題】
【０００３】
しかしながら、オフラインモードにおいて書込位置を設定する方法では、バーコードプリンタによって１０００枚などの大量のＲＦＩＤタグに対する情報の書き込みが行われている間（オンラインモードの間）に書込位置がずれてしまった場合、ＲＦＩＤタグへの情報の書き込みが終了してオフラインモードになるまで書込位置を補正することができないため、ＲＦＩＤタグに対して想定した書込位置において情報の書き込みを行うことができず、ＲＦＩＤタグを無駄にしてしまうというリスクがある。
【課題を解決するための手段】
【０００４】
実施形態の書込装置は、搬送手段と、書込手段と、判断手段と、補正手段と、を備える。前記搬送手段は、無線通信により情報が書き込まれるタグを搬送する。前記書込手段は、記憶手段から、前記タグに対して情報の書き込みを行う所定の書込位置を読み出すとともに、前記所定の書込位置に搬送された前記タグに対して、無線通信により情報の書き込みを行って発行する。前記判断手段は、複数の前記タグに対する情報の書き込みを指示するコマンドを受信して前記搬送手段により前記所定の書込位置に順次搬送される前記タグに対する情報の書き込みが行われている間、前記書込手段により書き込みが行われた前記タグが発行される度に、前記タグに対する情報の書き込みを行う書込位置が入力されたか否かを判断する。前記補正手段は、前記判断手段により前記書込位置が入力されたと判断した場合、入力された前記書込位置よって、前記記憶手段に記憶された前記所定の書込位置を補正する。
【図面の簡単な説明】
【０００５】
【図１】図１は、一般的なＲＦＩＤタグの要部構成を示す図である。
【図２】図２は、本実施形態にかかるＲＦＩＤプリンタの要部構成を示すブロック図である。
【図３】図３は、本実施形態にかかるＲＦＩＤプリンタが備える操作パネルの概略を示す図である。
【図４】図４は、設定情報のデータ構成を示す図である。
【図５】図５は、本実施形態にかかるＲＦＩＤプリンタの動作フローチャートである。
【発明を実施するための形態】
【０００６】
以下に添付図面を参照して、本実施形態にかかるＲＦＩＤバーコードプリンタ（以下、ＲＦＩＤプリンタとする）について詳細に説明する。ＲＦＩＤプリンタは、種々の情報を印字する印字機能、および無線通信によりＲＦＩＤタグへの情報の書き込みおよび読み込みを行う無線通信機能を備えたものである。なお、本実施形態では、無線通信機能に加えて、印字機能を備えたＲＦＩＤプリンタについて説明するが、これに限定するものではなく、少なくとも無線通信機能を備えた書込装置であれば良い。
【０００７】
ここで、ＲＦＩＤ（Radio  Frequency  Identification）タグとは、ＩＤ情報等の物体を識別する情報が記憶されたタグ（微小な無線ＩＣチップ）から、電磁界や電波などを用いた近距離（周波数帯によって数ｃｍ〜数ｍ）の無線通信で情報をやりとりすることによって、物体の識別等に利用されるものである。
【０００８】
図１は、一般的なＲＦＩＤタグの要部構成を示す図である。図１に示すように、ＲＦＩＤタグ１００は、アンテナ１０１とＩＣチップ１０２とを備えている。ＩＣチップ１０２は、アンテナ１０１で受信した変調波の整流と安定化を行うことによりＩＣチップ１０２の各部に電源を供給する電源生成部１０３、上記変調波を復調して制御部１０５へ送出する復調部１０４、制御部１０５から送出されたデータを変調してアンテナ１０１に送出する変調部１０６、復調部１０４で復調されたデータをメモリ部１０７に書き込んだり、メモリ部１０７からデータを読み出して変調部１０６へ送出したりする制御部１０５、およびＥＥＰＲＯＭ（Electrically  Erasable  Programmable  Read  Only  Memory）等の不揮発性の書き換え可能なメモリ部１０７等を備えている。メモリ部１０７には、当該ＲＦＩＤタグ１００の製造段階で製造業者により割当て設定された固有の識別情報であるＩＤが予め記憶されている。また、メモリ部１０７には、ユーザが任意のデータを書込むことができるユーザ領域が確保されている。
【０００９】
次に、本実施形態にかかるＲＦＩＤプリンタの要部構成について、図２および図３を用いて説明する。図２は、本実施形態にかかるＲＦＩＤプリンタの要部構成を示すブロック図である。図３は、本実施形態にかかるＲＦＩＤプリンタが備える操作パネルの概略を示す図である。
【００１０】
ＲＦＩＤプリンタ２００（書込装置）は、図２に示すように、ＲＦＩＤリーダライタ２０１、アンテナ２０２、操作パネル２０３、通信インターフェイス（Ｉ／Ｆ）２０４、印字ヘッド２０５、ヘッド駆動部２０６、搬送系駆動部２０７、記憶部２０８、ホストインターフェイス（Ｉ／Ｆ）２０９、各種センサ２１０、および制御部２１１等を備えている。
【００１１】
搬送系駆動部２０７は、ＲＦＩＤタグ１００をアンテナ２０２との交信領域内に順次搬送する搬送機構である。本実施形態では、搬送系駆動部２０７は、対向配置された印字ヘッド２０５とでＲＦＩＤタグ１００を挟持してＲＦＩＤタグ１００を搬送するプラテンローラと、制御部２１１から入力されるパルス信号に従って予め設定されたステップ単位で回転することにより当該プラテンローラを駆動するステッピングモータと、を備える。
【００１２】
各種センサ２１０は、光センサ等であるタグセンサ２１２を含む。タグセンサ２１２は、後述するアンテナ２０２近傍に設けられ、搬送駆動部２０７により搬送されるＲＦＩＤタグ１００の搬送方向上流側の端部を検知するものである。
【００１３】
アンテナ２０２は、ＲＦＩＤリーダライタ２０１から供給される変調波を発信し、この変調波を受信したＲＦＩＤタグ１００から発信される変調波を受信するものである。
【００１４】
ＲＦＩＤリーダライタ２０１は、搬送系駆動部２０７により所定の書込位置に搬送されたＲＦＩＤタグ１００に対して、アンテナ２０２から変調波を発信して、発信した変調波が到達し得る交信領域内に存在するＲＦＩＤタグ１００のメモリ部１０７に対する無線通信による情報の書き込み、および当該メモリ部１０７からの無線通信による情報の読み取りを行う。つまり、本実施形態では、アンテナ２０２およびＲＦＩＤリーダライタ２０１が、書込部として機能する。
【００１５】
ここで、所定の書込位置は、ＲＦＩＤタグ１００（メモリ部１０７）に対して情報の書き込みを行う位置である。本実施形態では、所定の書込位置は、設定情報４００（図４参照）に含まれ、タグセンサ２１２によりＲＦＩＤタグ１００の搬送方向下流側の端部が検知されてから、搬送系駆動部２０７のステッピングモータに入力されるパルス信号の数によって表される。
【００１６】
例えば、所定の書込位置が「３」である場合、ＲＦＩＤリーダライタ２０１は、タグセンサ２１２によりＲＦＩＤタグ１００の搬送方向下流側の端部が検知されてから、３つめのパルス信号が搬送系駆動部２０７のステッピングモータに入力された際に、ＲＦＩＤタグ１００のメモリ部１０７に対する情報の書き込み、および当該メモリ部１０７からの情報の読み取りを行う。
【００１７】
印字ヘッド２０５は、ＲＦＩＤタグ１００の搬送方向において、アンテナ２０２よりも下流側に設けられ、ヘッド駆動部２０６により駆動されてＲＦＩＤタグ１００の印字面に種々の情報（バーコードやテキスト等）を印字するものである。この印字ヘッド２０５としては、例えばサーマルヘッドが用いられる。ヘッド駆動部２０６は、搬送系駆動部２０７により印字ヘッド２０５の位置に搬送されてきたＲＦＩＤタグ１００の印字面に情報を印字するものとする。つまり、本実施形態では、印字ヘッド２０５およびヘッド駆動部２０６が印字部として機能する。
【００１８】
操作パネル２０３には、操作用の各種キーや各種表示部等が設けられている。本実施形態では、操作パネル２０３は、表示部３０１、モード表示部３０２、エラー表示部３０３、フィードボタン３０４、リスタートボタン３０５、ポーズボタン３０６、モード切替ボタン３０７、キャンセルボタン３０８、カーソルキー３０９、エンターキー３１０等を備えている。
【００１９】
表示部３０１は、ＬＣＤ（Liquid  Crystal  Display）など、ＲＦＩＤタグ１００のメモリ部１０７に対して情報の書き込みを行う書込位置を入力するための位置入力画面等を表示する。
【００２０】
モード表示部３０２は、ＬＥＤ（Light  Emitting  Diode）など、ＲＦＩＤプリンタ２００がオンラインモードの間に点灯してオンラインモードであることを報知するものである。また、モード表示部３０２は、ＲＦＩＤプリンタ２００がオフラインモードの間に消灯してオフラインモードであることを報知する。ここで、オンラインモードとは、ＲＦＩＤタグ１００に対して情報の書き込みが行われているモードである。また、オフラインモードとは、ＲＦＩＤタグ１００に対して情報の書き込みが行われていないモードである。
【００２１】
エラー表示部３０３は、ＬＥＤなど、ＲＦＩＤプリンタ２００におけるエラー（例えば、ＲＦＩＤタグ１００への情報の書き込み失敗等）が発生した際に点灯してエラーの発生を報知する。
【００２２】
フィードボタン３０４は、ＲＦＩＤプリンタ２００がオフラインモードの間にＲＦＩＤタグ１００を移動させるためのボタンである。リスタートボタン３０５は、ＲＦＩＤタグ１００に対する情報の書き込みを再開させるためのボタンである。ポーズボタン３０６は、ＲＦＩＤタグ１００に対する情報の書き込みを一時停止させるためのボタンである。
【００２３】
モード切替ボタン３０７は、ＲＦＩＤタグ１００に対して情報の書き込みを行う書込位置を入力するための位置入力モード等に切り替えるためのボタンである。なお、上述した表示部３０１は、モード切替ボタン３０７による位置入力モード等への切り替えに応じて、入力された書込位置が表示された位置入力画面等を表示する。
【００２４】
キャンセルボタン３０８は、ＲＦＩＤタグ１００に対する情報の書き込みやＲＦＩＤタグ１００からの情報の読み取り等の中止させるためのボタンである。カーソルキー３０９は、ＲＦＩＤタグ１００に対して情報の書き込みを行う書込位置等を入力するためのキーである。エンターキー３１０は、ＲＦＩＤタグ１００に対する情報の書込開始等を指示するためのキーである。
【００２５】
図２に戻り、通信インターフェイス２０４には、各種外部装置が接続可能である。
【００２６】
記憶部２０８には、ＲＦＩＤプリンタ２００の制御プログラムやその他各種プログラム、ＲＦＩＤタグ１００のメモリ部１０７に書き込む書込データ（各種情報等）、およびＲＦＩＤタグ１００に印字する印字データ（印字する文字データやバーコードデータ等）、設定情報等が記憶されている。ここで、書込データは、ＲＦＩＤタグ１００に書き込むべき情報である。印字データは、ＲＦＩＤタグ１００の印字面に印字するべき情報である。
【００２７】
設定情報には、ＲＦＩＤプリンタ２００に対し設定される各種パラメータであり、ＲＦＩＤタグ１００との無線通信に関わる諸設定およびＲＦＩＤタグ１００に対する印字に関わる諸設定が含まれている。
【００２８】
図４は、設定情報のデータ構成を示す図である。図４に示すように、設定情報４００には、ＲＦＩＤタグ１００との無線通信に関する設定として、所定の書込位置４０１が含まれている。所定の書込位置４０１は、上述したように、ＲＦＩＤタグ１００に対して情報の書き込みを行う位置であり、タグセンサ２１２によりＲＦＩＤタグ１００の搬送方向上流側の端部が検知されてから、搬送系駆動部２０７のステッピングモータに入力されるパルス信号の数により表される。
【００２９】
また、設定情報４００には、図４に示すように、ＲＦＩＤタグ１００に対する印字に関する設定として、文字バイト数（２バイトまたは１バイト）４０２、印字速度（１秒間に印字するライン数の指定）４０３、２バイト文字区分（ＪＩＳコードやＧＢコード,ＫＳコード等を指定）４０４等が含まれている。
【００３０】
図２に戻り、ホストインターフェイス２０９は、図示しないホスト装置とのインターフェイスであり、このホストインターフェイス２０９を介して、ＲＦＩＤタグ１００から読み取ったユニークＩＤやユーザエリア内のデータを、ホスト装置へ送信することなどが可能である。
【００３１】
制御部２１１は、ＲＦＩＤリーダライタ２０１、操作パネル２０３、通信インターフェイス２０４、ヘッド駆動部２０６、搬送系駆動部２０７、記憶部２０８、ホストインターフェイス２０９、および各種センサ２１０を統括的に制御するためのものであり、例えば、マイクロプロセッサを用いて、記憶部２０８に記憶された制御プログラムをこのマイクロプロセッサに実行させることにより実現することができる。
【００３２】
次に、このように構成されるＲＦＩＤプリンタ２００の動作について、図５を用いて説明する。図５は、本実施形態にかかるＲＦＩＤプリンタの動作フローチャートである。
【００３３】
ＲＦＩＤプリンタ２００の電源がオンされた後、制御部２１１は、ホストインターフェイス２０９を介して、図示しないホスト装置から、ＲＦＩＤタグ１００に書き込む書込データ（例えば、１０００枚のＲＦＩＤタグ１００に書き込む情報）やＲＦＩＤタグ１００に印字する印字データ（例えば、１０００枚のＲＦＩＤタグ１００に印字する情報）を含むコマンドを受信する（ステップＳ５０１）。制御部２１１は、受信したコマンドを解析して（ステップＳ５０２）、当該受信したコマンドに含まれる書込データおよび印字データを記憶部２０８に描画する（ステップＳ５０３）。
【００３４】
次いで、制御部２１１は、搬送系駆動部２０７のステッピングモータへのパルス信号の入力を開始してＲＦＩＤタグ１００の搬送を開始する。さらに、制御部２１１は、記憶部２０８に描画した書込データをＲＦＩＤリーダライタ２０１に入力するとともに、記憶部２０８に描画した印字データをヘッド駆動部２０６に入力して、ＲＦＩＤタグ１００の発行を指示する。
【００３５】
ＲＦＩＤリーダライタ２０１は、ＲＦＩＤタグ１００の発行が指示されると、記憶部２０８から、設定情報４００に含まれる所定の書込位置４０１を読み出す。そして、ＲＦＩＤリーダライタ２０１は、記憶部２０８から読み出した所定の書込位置４０１にＲＦＩＤタグ１００が搬送されると、アンテナ２０２から変調波を発信して、ＲＦＩＤタグ１００に対して無線通信による書込データの書き込みを行う。これにより、ＲＦＩＤリーダライタ２０１は、ＲＦＩＤタグ１００を発行する（ステップＳ５０４）。
【００３６】
また、ヘッド駆動部２０６は、ＲＦＩＤリーダライタ２０１により書込データの書き込みが行われたＲＦＩＤタグ１００が印字ヘッド２０５の位置に搬送されてくると、印字ヘッド２０５によってＲＦＩＤタグ１００の印字面に対する印字データの印字を行う。
【００３７】
なお、本実施形態では、ＲＦＩＤリーダライタ２０１は、ＲＦＩＤタグ１００に対する書込データの書き込みを行うと同時に、アンテナ２０２から変調波を発信して、当該書込データの書き込みを行ったＲＦＩＤタグ１００のメモリ部１０７から書込データの読み取りを行う。制御部２１１は、ＲＦＩＤリーダライタ２０１により書込データが読み取られたか否かを判断することにより、ＲＦＩＤタグ１００に対する書込データの書き込みの失敗を検知する。そして、ＲＦＩＤタグ１００のメモリ部１０７から書込データが読み取られなかったと判断した場合（つまり、ＲＦＩＤタグ１００に対する書込データの書き込みの失敗を検知した場合）、制御部２１１は、エラー表示部３０３を点灯させて、発行したＲＦＩＤタグ１００に対する書込データの書き込みが失敗したことを報知する。これにより、ＲＦＩＤプリンタ２００のオペレータは、ＲＦＩＤタグ１００に対する情報の書き込みが成功したか否かを認識することができる。
【００３８】
本実施形態では、エラー表示部３０３を点灯させることにより、ＲＦＩＤタグ１００に対する書込データの書き込みが失敗したことを報知しているが、これに限定するものではない。例えば、制御部２１１は、発行したＲＦＩＤタグ１００に対する書込データの書き込みが失敗したと判断した場合、ヘッド駆動部２０６を制御して、ＲＦＩＤタグ１００の印字面に印字データ以外の情報（例えば、書き込みが失敗ことを示すメッセージや黒塗り）を印字することにより、発行したＲＦＩＤタグ１００に対する書込データの書き込みが失敗したことを報知しても良い。
【００３９】
次いで、制御部２１１は、搬送系駆動部２０７により搬送されるＲＦＩＤタグ１００に対する書込データの書き込みが行われているか否か（つまり、オンラインモードであるか否か）を判断する（ステップＳ５０５）。オンラインモードでないと判断した場合（ステップＳ５０５：Ｎｏ）、つまり、全てのＲＦＩＤタグ１００に対する書込データの書き込みが行われた場合、制御部２１１は、ＲＦＩＤリーダライタ２０１に対する書込データの入力を停止するとともに、ヘッド駆動部２０６に対する印字データの入力を停止して、ＲＦＩＤタグ１００の発行を終了する。
【００４０】
一方、オンラインモードであると判断した場合（ステップＳ５０５：Ｙｅｓ）、制御部２１１は、ＲＦＩＤタグ１００が発行される毎に、カーソルキー３０９が押下されて、ＲＦＩＤリーダライタ２０１によりＲＦＩＤタグ１００に対して書込データの書き込みを行う書込位置の入力が行われたか否かを判断する（ステップＳ５０６）。なお、書込位置の入力が行わなかった場合（ステップＳ５０６：Ｎｏ）、制御部２１１は、ステップＳ５０４に戻り、ＲＦＩＤタグ１００の発行を行う。
【００４１】
本実施形態では、ＲＦＩＤプリンタ２００のオペレータは、モード切替ボタン３０７を押下してＲＦＩＤプリンタ２００を位置入力モードに切り替えた後、カーソルキー３０９を押下することにより、ＲＦＩＤタグ１００に対して書込データの書き込みを行う書込位置の入力を行うものとする。なお、ＲＦＩＤプリンタ２００が位置入力モードに切り替えられた場合、表示部３０１は、入力された書込位置が表示された位置入力画面を表示するものとする。これにより、オペレータは、表示部３０１に表示された書込位置を確認しながら、書込位置の入力を行うことができる。
【００４２】
ＲＦＩＤタグ１００に対して書込データの書き込み行う書込位置が入力されたと判断した場合（ステップＳ５０６：Ｙｅｓ）、制御部２１１は、キー割り込みを発生させて、カーソルキー３０９による書込位置の入力を受け付ける（ステップＳ５０７）。
【００４３】
本実施形態では、カーソルキー３０９が一回押下されると、制御部２１１は、記憶部２０８に記憶された設定情報４００に含まれる所定の書込位置４０１を基準にして、搬送系駆動部２０７のステッピングモータに入力する１つのパルス信号分、ＲＦＩＤタグ１００の搬送方向または当該搬送方向と反対の方向に移動させた書込位置の入力を受け付ける。
【００４４】
例えば、操作パネル２０３が有するカーソルキー３０９のうち、左方向を示すカーソルキー３０９が押下された場合、制御部２１１は、所定の書込位置４０１を基準にして、搬送系駆動部２０７のステッピングモータに入力する１つのパルス信号分進めた位置を、書込位置として入力を受け付ける。一方、操作パネル２０３が有するカーソルキー３０９のうち、右方向を示すカーソルキー３０９が押下された場合、制御部２１１は、所定の書込位置４０１を基準にして、搬送系駆動部２０７のステッピングモータに入力する１つのパルス信号分遅らせた位置を、書込位置として入力を受け付ける。
【００４５】
書込位置の入力を受け付けると、制御部２１１は、入力を受け付けた書込位置によって、記憶部２０８に記憶された設定情報４００に含まれる所定の書込位置４０１を補正する（ステップＳ５０８）。なお、記憶部２０８に記憶された設定情報４００に含まれる所定の書込位置４０１の補正後、制御部２１１は、ステップＳ５０４に戻り、ＲＦＩＤタグ１００の発行を行う。
【００４６】
このように本実施形態にかかるＲＦＩＤプリンタ２００によれば、無線通信により情報が書き込まれる複数のＲＦＩＤタグ１００を搬送する搬送系駆動部２０７と、搬送系駆動部２０７によって所定の書込位置４０１に搬送されたＲＦＩＤタグ１００に対して、無線通信により情報の書き込みを行うＲＦＩＤリーダライタ２０１と、搬送系駆動部２０７により搬送されるＲＦＩＤタグ１００に対する情報の書き込みが行われている間、ＲＦＩＤリーダライタ２０１によりＲＦＩＤタグ１００に対して情報を書き込む書込位置の入力を受け付け、入力を受け付けた書込位置よって所定の書込位置４０１を補正することにより、オンラインモードの間に、ＲＦＩＤタグ１００に対する情報の書き込みが想定した書込位置（つまり、アンテナ２０２の交信領域内）において行われず、ＲＦＩＤタグ１００に対する情報の書き込みの失敗が発生した場合に、ＲＦＩＤプリンタ２００がオンラインモードである間にカーソルキー３０９を用いて所定の書込位置４０１を補正することができるので、ＲＦＩＤタグ１００に対する情報の書き込みの失敗が発生した場合に、ＲＦＩＤタグ１００を無駄にしてしまうリスクを軽減することができる。
【００４７】
なお、本実施形態のＲＦＩＤプリンタ２００で実行される制御プログラムは、ＲＯＭ等に予め組み込まれて提供されるが、これに限定するものではない。本実施形態のＲＦＩＤプリンタ２００で実行される制御プログラムは、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成してもよい。
【００４８】
さらに、本実施形態のＲＦＩＤプリンタ２００で実行される制御プログラムを、インターネット等のネットワークに接続されたコンピュータ上に格納し、ネットワーク経由でダウンロードさせることにより提供するように構成しても良い。また、本実施形態のＲＦＩＤプリンタ２００で実行される制御プログラムをインターネット等のネットワーク経由で提供または配布するように構成しても良い。
【００４９】
本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態は、発明の範囲や要旨に含まれるとともに、特許請求の範囲に記載された発明とその均等の範囲に含まれる。
【符号の説明】
【００５０】
１００  ＲＦＩＤタグ
２００  ＲＦＩＤプリンタ
２０１  ＲＦＩＤリーダライタ
２０２  アンテナ
２０３  操作パネル
２０５  印字ヘッド
２０６  ヘッド駆動部
２０７  搬送系駆動部
２０８  記憶部
２１０  各種センサ
２１１  制御部
２１２  タグセンサ
【先行技術文献】
【特許文献】
【００５１】
【特許文献１】特開平９−２０７３８８号公報
【特許文献２】特開２００６−２１２８９４号公報
【図１】
0005425846.tif 000002
【図２】
0005425846.tif 000003
【図３】
0005425846.tif 000004
【図４】
0005425846.tif 000005
【図５】
0005425846.tif 000006